(57)【要約】【課題】本発明は野菜包装装置を開示した。【解決手段】ケースを含み、前記ケースの中には上方に開口した包装チャンバが設けられ、前記包装チャンバの左右端壁には第一凹溝が連通し設けられ、前記第一凹溝の中にはフックが固定的に設けられ、左側の前記第一凹溝の底壁の中には右方に開口した第一空きチャンバが設けられ、前記第一空きチャンバの左端壁には第一スライド溝が連通し設けられ、本発明の野菜包装装置は反応が速く、自動化程度が高く、包装後の密封性がよく、同時に、本発明の装置は小さな空間を占め、包装の効率が高く、実用性が強い。【選択図】図１
2020179926.tif 000002
【特許請求の範囲】
【請求項１】
ケースを含み、前記ケースの中には上方に開口した包装チャンバが設けられ、前記包装チャンバの左右端壁には第一凹溝が連通し設けられ、前記第一凹溝の中にはフックが固定的に設けられ、左側の前記第一凹溝の底壁の中には右方に開口した第一空きチャンバが設けられ、前記第一空きチャンバの左端壁には第一スライド溝が連通し設けられ、前記第一スライド溝の中には第一スライドロッドがスライドできるように設けられ、前記第一スライドロッドの頂面にはラックが固定的に設けられ、前記第一スライドロッドの左端面には第一磁石ブロックが固定的に設けられ、前記第一スライドロッドの右端には前記第一空きチャンバの中に伸びているＵ型磁石が固定的に設けられ、前記第一スライド溝の左端壁には前記第一磁石ブロックと退け合う電磁石が固定的に設けられ、前記第一スライド溝の底壁には第二スライド溝が連通し設けられ、前記第二スライド溝の中には前記第一スライドロッドと固定的に連結されたスライドブロックがスライドできるように設けられ、前記スライドブロックと前記第二スライド溝の右端壁との間には第一バネが連結され、前記Ｕ型磁石の中心の右側には第二スライドロッドが固定的に設けられ、前記第二スライドロッドの右端には第二磁石ブロックが固定的に設けられ、右側の前記第一凹溝の底壁には左方に開口した第二空きチャンバが設けられ、前記第二空きチャンバの右端壁にはスプラインスリーブが回転できるように設けられ、前記スプラインスリーブの左端には第一円形歯車が固定的に設けられ、前記第一円形歯車の中には左方に開口した第三スライド溝が設けられ、前記第三スライド溝の右端壁の中には前記スプラインスリーブに連通している第四スライド溝が設けられ、前記スプラインスリーブの右端壁にはスイッチが固定的に設けられ、前記第四スライド溝の中には押しロッドがスライドできるように設けられ、前記押しロッドと前記スイッチの左端面との間には第二バネが連結され、左方に開口した第五スライド溝が前記第三スライド溝に前後に対称的に設けられ、前記第五スライド溝と前記第三スライド溝との間には金属シートが設けられ、前記第五スライド溝の中には前記包装チャンバの中に伸びている金属板がスライドできるように設けられ、前記金属板と前記金属シートとの間には第三バネが連結され、前記金属板の中には左方に開口した抜き穴が設けられ、前記第二空きチャンバの前端壁には第三空きチャンバが連通し設けられ、前記第三空きチャンバの右端壁には前記スイッチと電気的に接続されるモーターが固定的に設けられ、前記モーターの左側には主動軸が動力が伝達できるように連結され、前記主動軸には前記第一円形歯車と噛み合う第二円形歯車が固定的に設けられ、
これにより、前記第一スライドロッドが前記Ｕ型磁石を右にスライド連動させ、前記第二磁石ブロックが前記第三スライド溝に伸びた後に前記金属板を吸引し、同時に前記押しロッドが前記スイッチを押し、前記モーターを起動し、前記モーターが前記第一円形歯車を回転駆動し、結び目を作ることを特徴とする野菜包装装置。
【請求項２】
前記第一スライド溝の頂壁には第四空きチャンバが連通し設けられ、前記第四空きチャンバの中には第一回転軸が回転できるように設けられ、前記第一回転軸には前記ラックと噛み合う第三円形歯車と前記第三円形歯車の前側に位置している第一傘歯車とが固定的に設けられ、前記第四空きチャンバの右端壁の中には第五空きチャンバが設けられ、前記第五空きチャンバと前記第四空きチャンバとの間には左右に伸びている第二回転軸が回転できるように設けられ、前記第二回転軸の左端には前記第一傘歯車と噛み合う第二傘歯車が固定的に設けられ、前記第二回転軸の右端にはラチェット歯車が固定的に設けられ、
前記ラックが前記第一傘歯車を回転連動させ、前記第一傘歯車が前記ラチェット歯車を回転連動させることを特徴とする請求項１に記載の野菜包装装置。
【請求項３】
前記第五空きチャンバの右端壁には第六空きチャンバが設けられ、前記第六空きチャンバと前記第五空きチャンバとの間には左右に伸びている第三回転軸が回転できるように設けられ、前記第三回転軸の左端には第一円盤が固定的に設けられ、前記第一円盤の左端壁には第四回転軸が回転できるように設けられ、前記第四回転軸には前記ラチェット歯車と噛み合うラチェット歯止めが固定的に設けられ、前記ラチェット歯止めと前記第一円盤の左端面との間には第四バネが連結され、前記第三回転軸の右端には第三傘歯車が固定的に設けられ、前記第六空きチャンバの中には第五回転軸が回転できるように設けられ、前記第五回転軸には前記第三傘歯車と噛み合う第四傘歯車と前記第四傘歯車の後側に位置している第二円盤とが固定的に設けられ、前記第二円盤の中には四つの外に開口した第二凹溝が設けられ、前記第二凹溝の中にＵ型針金が引っ掛かることができ、前記第一空きチャンバの頂壁には前記第六空きチャンバを貫通しているＵ型溝が連通し設けられ、
前記第二円盤が回転する時に前記Ｕ型針金を前記第一空きチャンバの中まで運ぶことを特徴とする請求項１に記載の野菜包装装置。
【発明の詳細な説明】
【技術分野】
【０００１】
本発明は包装分野を取り上げて、具体的には野菜包装装置である。
【背景技術】
【０００２】
人々が野菜を購入した後に、野菜の根部に水を補充し、野菜に新鮮を保たせ、異なった野菜は一般的に分けられて包装され、賑やかな市場で、オーナーが客が購入した野菜を分けて包装する時に、大量の時間と精力が浪費され、ほとんどの野菜屋が小商いであり、異なった野菜を単独に包装する人手が足りなく、
従って、野菜包装装置を設計して上記の問題を解決する必要がある。
【先行技術文献】
【特許文献】
【０００３】
【特許文献１】中国特許出願公開第107200153号明細書
【発明の概要】
【発明が解決しようとする課題】
【０００４】
本発明の目的は野菜包装装置を提供し、それは上記の現在の技術中の問題を解決できる。
【課題を解決するための手段】
【０００５】
本発明は以下の技術プランを通じて実現する：本発明の野菜包装装置は、ケースを含み、前記ケースの中には上方に開口した包装チャンバが設けられ、前記包装チャンバの左右端壁には第一凹溝が連通し設けられ、前記第一凹溝の中にはフックが固定的に設けられ、左側の前記第一凹溝の底壁の中には右方に開口した第一空きチャンバが設けられ、前記第一空きチャンバの左端壁には第一スライド溝が連通し設けられ、前記第一スライド溝の中には第一スライドロッドがスライドできるように設けられ、前記第一スライドロッドの頂面にはラックが固定的に設けられ、前記第一スライドロッドの左端面には第一磁石ブロックが固定的に設けられ、前記第一スライドロッドの右端には前記第一空きチャンバの中に伸びているＵ型磁石が固定的に設けられ、前記第一スライド溝の左端壁には前記第一磁石ブロックと退け合う電磁石が固定的に設けられ、前記第一スライド溝の底壁には第二スライド溝が連通し設けられ、前記第二スライド溝の中には前記第一スライドロッドと固定的に連結されたスライドブロックがスライドできるように設けられ、前記スライドブロックと前記第二スライド溝の右端壁との間には第一バネが連結され、前記Ｕ型磁石の中心の右側には第二スライドロッドが固定的に設けられ、前記第二スライドロッドの右端には第二磁石ブロックが固定的に設けられ、右側の前記第一凹溝の底壁には左方に開口した第二空きチャンバが設けられ、前記第二空きチャンバの右端壁にはスプラインスリーブが回転できるように設けられ、前記スプラインスリーブの左端には第一円形歯車が固定的に設けられ、前記第一円形歯車の中には左方に開口した第三スライド溝が設けられ、前記第三スライド溝の右端壁の中には前記スプラインスリーブに連通している第四スライド溝が設けられ、前記スプラインスリーブの右端壁にはスイッチが固定的に設けられ、前記第四スライド溝の中には押しロッドがスライドできるように設けられ、前記押しロッドと前記スイッチの左端面との間には第二バネが連結され、左方に開口した第五スライド溝が前記第三スライド溝に前後に対称的に設けられ、前記第五スライド溝と前記第三スライド溝との間には金属シートが設けられ、前記第五スライド溝の中には前記包装チャンバの中に伸びている金属板がスライドできるように設けられ、前記金属板と前記金属シートとの間には第三バネが連結され、前記金属板の中には左方に開口した抜き穴が設けられ、前記第二空きチャンバの前端壁には第三空きチャンバが連通し設けられ、前記第三空きチャンバの右端壁には前記スイッチと電気的に接続されるモーターが固定的に設けられ、前記モーターの左側には主動軸が動力が伝達できるように連結され、前記主動軸には前記第一円形歯車と噛み合う第二円形歯車が固定的に設けられ、
これにより、前記第一スライドロッドが前記Ｕ型磁石を右にスライド連動させ、前記第二磁石ブロックが前記第三スライド溝に伸びた後に前記金属板を吸引し、同時に前記押しロッドが前記スイッチを押し、前記モーターを起動し、前記モーターが前記第一円形歯車を回転駆動し、結び目を作る。
【０００６】
優選の技術プランとして、前記第一スライド溝の頂壁には第四空きチャンバが連通し設けられ、前記第四空きチャンバの中には第一回転軸が回転できるように設けられ、前記第一回転軸には前記ラックと噛み合う第三円形歯車と前記第三円形歯車の前側に位置している第一傘歯車とが固定的に設けられ、前記第四空きチャンバの右端壁の中には第五空きチャンバが設けられ、前記第五空きチャンバと前記第四空きチャンバとの間には左右に伸びている第二回転軸が回転できるように設けられ、前記第二回転軸の左端には前記第一傘歯車と噛み合う第二傘歯車が固定的に設けられ、前記第二回転軸の右端にはラチェット歯車が固定的に設けられ、
前記ラックが前記第一傘歯車を回転連動させ、前記第一傘歯車が前記ラチェット歯車を回転連動させる。
【０００７】
優選の技術プランとして、前記第五空きチャンバの右端壁には第六空きチャンバが設けられ、前記第六空きチャンバと前記第五空きチャンバとの間には左右に伸びている第三回転軸が回転できるように設けられ、前記第三回転軸の左端には第一円盤が固定的に設けられ、前記第一円盤の左端壁には第四回転軸が回転できるように設けられ、前記第四回転軸には前記ラチェット歯車と噛み合うラチェット歯止めが固定的に設けられ、前記ラチェット歯止めと前記第一円盤の左端面との間には第四バネが連結され、前記第三回転軸の右端には第三傘歯車が固定的に設けられ、前記第六空きチャンバの中には第五回転軸が回転できるように設けられ、前記第五回転軸には前記第三傘歯車と噛み合う第四傘歯車と前記第四傘歯車の後側に位置している第二円盤とが固定的に設けられ、前記第二円盤の中には四つの外に開口した第二凹溝が設けられ、前記第二凹溝の中にＵ型針金が引っ掛かることができ、前記第一空きチャンバの頂壁には前記第六空きチャンバを貫通しているＵ型溝が連通し設けられ、
前記第二円盤が回転する時に前記Ｕ型針金を前記第一空きチャンバの中まで運ぶ。
【発明の効果】
【０００８】
本発明の野菜包装装置は反応が速く、自動化程度が高く、包装後の密封性がよく、同時に、本発明の装置は小さな空間を占め、包装の効率が高く、実用性が強い。
【図面の簡単な説明】
【０００９】
説明しやすいため、本発明は以下の具体的な実施例と付図を交え詳しく説明する。
【００１０】
【図１】図１は本発明の野菜包装装置の全体構成略図
【図２】図２は図１のＡ−Ａの構成略図
【図３】図３は図１のＢの拡大構成略図
【図４】図４は図１のＣの拡大構成略図
【図５】図５は図２のＤの拡大構成略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
以下、図１〜５を合わせて本発明について詳しく説明し、また、説明の便利を図るため、下記に記載の上下左右前後方向が図１自身の投影関係の上下左右前後方向と一致することにする。
【００１３】
図１〜５に示すように、本発明の野菜包装装置は、ケース１０を含み、前記ケース１０の中には上方に開口した包装チャンバ２７が設けられ、前記包装チャンバ２７の左右端壁には第一凹溝３０が連通し設けられ、前記第一凹溝３０の中にはフック２９が固定的に設けられ、左側の前記第一凹溝３０の底壁の中には右方に開口した第一空きチャンバ２４が設けられ、前記第一空きチャンバ２４の左端壁には第一スライド溝１８が連通し設けられ、前記第一スライド溝１８の中には第一スライドロッド１９がスライドできるように設けられ、前記第一スライドロッド１９の頂面にはラック１５が固定的に設けられ、前記第一スライドロッド１９の左端面には第一磁石ブロック１７が固定的に設けられ、前記第一スライドロッド１９の右端には前記第一空きチャンバ２４の中に伸びているＵ型磁石２３が固定的に設けられ、前記第一スライド溝１８の左端壁には前記第一磁石ブロック１７と退け合う電磁石１６が固定的に設けられ、前記第一スライド溝１８の底壁には第二スライド溝２２が連通し設けられ、前記第二スライド溝２２の中には前記第一スライドロッド１９と固定的に連結されたスライドブロック２０がスライドできるように設けられ、前記スライドブロック２０と前記第二スライド溝２２の右端壁との間には第一バネ２１が連結され、前記Ｕ型磁石２３の中心の右側には第二スライドロッド２５が固定的に設けられ、前記第二スライドロッド２５の右端には第二磁石ブロック２６が固定的に設けられ、右側の前記第一凹溝３０の底壁には左方に開口した第二空きチャンバ２８が設けられ、前記第二空きチャンバ２８の右端壁にはスプラインスリーブ６２が回転できるように設けられ、前記スプラインスリーブ６２の左端には第一円形歯車５２が固定的に設けられ、前記第一円形歯車５２の中には左方に開口した第三スライド溝５８が設けられ、前記第三スライド溝５８の右端壁の中には前記スプラインスリーブ６２に連通している第四スライド溝６３が設けられ、前記スプラインスリーブ６２の右端壁にはスイッチ６０が固定的に設けられ、前記第四スライド溝６３の中には押しロッド５９がスライドできるように設けられ、前記押しロッド５９と前記スイッチ６０の左端面との間には第二バネ６１が連結され、左方に開口した第五スライド溝５３が前記第三スライド溝５８に前後に対称的に設けられ、前記第五スライド溝５３と前記第三スライド溝５８との間には金属シート５７が設けられ、前記第五スライド溝５３の中には前記包装チャンバ２７の中に伸びている金属板５５がスライドできるように設けられ、前記金属板５５と前記金属シート５７との間には第三バネ５６が連結され、前記金属板５５の中には左方に開口した抜き穴５４が設けられ、前記第二空きチャンバ２８の前端壁には第三空きチャンバ３１が連通し設けられ、前記第三空きチャンバ３１の右端壁には前記スイッチ６０と電気的に接続されるモーター３３が固定的に設けられ、前記モーター３３の左側には主動軸３２が動力が伝達できるように連結され、前記主動軸３２には前記第一円形歯車５２と噛み合う第二円形歯車３４が固定的に設けられ、
これにより、前記第一スライドロッド１９が前記Ｕ型磁石２３を右にスライド連動させ、前記第二磁石ブロック２６が前記第三スライド溝５８に伸びた後に前記金属板５５を吸引し、同時に前記押しロッド５９が前記スイッチ６０を押し、前記モーター３３を起動し、前記モーター３３が前記第一円形歯車５２を回転駆動し、結び目を作る。
【００１４】
有益的には、前記第一スライド溝１８の頂壁には第四空きチャンバ１４が連通し設けられ、前記第四空きチャンバ１４の中には第一回転軸４４が回転できるように設けられ、前記第一回転軸４４には前記ラック１５と噛み合う第三円形歯車４２と前記第三円形歯車４２の前側に位置している第一傘歯車４３とが固定的に設けられ、前記第四空きチャンバ１４の右端壁の中には第五空きチャンバ１３が設けられ、前記第五空きチャンバ１３と前記第四空きチャンバ１４との間には左右に伸びている第二回転軸４５が回転できるように設けられ、前記第二回転軸４５の左端には前記第一傘歯車４３と噛み合う第二傘歯車４６が固定的に設けられ、前記第二回転軸４５の右端にはラチェット歯車４７が固定的に設けられ、
前記ラック１５が前記第一傘歯車４３を回転連動させ、前記第一傘歯車４３が前記ラチェット歯車４７を回転連動させる。
【００１５】
有益的には、前記第五空きチャンバ１３の右端壁には第六空きチャンバ１２が設けられ、前記第六空きチャンバ１２と前記第五空きチャンバ１３との間には左右に伸びている第三回転軸３６が回転できるように設けられ、前記第三回転軸３６の左端には第一円盤５１が固定的に設けられ、前記第一円盤５１の左端壁には第四回転軸４９が回転できるように設けられ、前記第四回転軸４９には前記ラチェット歯車４７と噛み合うラチェット歯止め４８が固定的に設けられ、前記ラチェット歯止め４８と前記第一円盤５１の左端面との間には第四バネ５０が連結され、前記第三回転軸３６の右端には第三傘歯車３５が固定的に設けられ、前記第六空きチャンバ１２の中には第五回転軸３７が回転できるように設けられ、前記第五回転軸３７には前記第三傘歯車３５と噛み合う第四傘歯車３８と前記第四傘歯車３８の後側に位置している第二円盤３９とが固定的に設けられ、前記第二円盤３９の中には四つの外に開口した第二凹溝４０が設けられ、前記第二凹溝４０の中にＵ型針金４１が引っ掛かることができ、前記第一空きチャンバ２４の頂壁には前記第六空きチャンバ１２を貫通しているＵ型溝１１が連通し設けられ、
前記第二円盤３９が回転する時に前記Ｕ型針金４１を前記第一空きチャンバ２４の中まで運ぶ。
【００１６】
以下、付図及び上記に説明された本申請の野菜包装装置の具体的な構成を参照し、野菜包装装置の使用方法を詳しく説明する：
【００１７】
まずプラスチック袋をフック２９に掛け、そして袋に水を注入し、そして購入した野菜の茎の一端をプラスチック袋の中に挿す。
【００１８】
包装する時、電磁石１６を起動し、電磁石１６が第一磁石ブロック１７を反発し、第一磁石ブロック１７が第一スライドロッド１９を右にスライド連動させ、その時にＵ型磁石２３の頂面にＵ型針金４１が吸着され、Ｕ型磁石２３がＵ型針金４１を右にスライド連動させ、且つＵ型針金４１を抜き穴５４の中に伸びさせ、第二磁石ブロック２６が第三スライド溝５８の中に挿入される時に、第二磁石ブロック２６が押しロッド５９を押し、第二磁石ブロック２６が金属板５５を吸引し、二つの金属板５５がＵ型針金４１の前後両端を連動させて互いに近接させ、同時に押しロッド５９が右にスライドしてスイッチ６０を押し、スイッチ６０がモーター３３を起動し、モーター３３が第二円形歯車３４を回転連動させ、第二円形歯車３４が第一円形歯車５２と金属板５５とを回転連動させ、すなわちその時にＵ型針金４１の右側が回転し結ばれ、プラスチック袋の底部の水が密封され、野菜の底部が水と接触し、野菜を新鮮に保つ。
【００１９】
包装完了の時、電磁石１６を止め、第一スライドロッド１９が第一バネ２１の作用力により左にスライドし、ラック１５が回転して第三円形歯車４２と第一傘歯車４３とを回転連動させ、第一傘歯車４３が第二傘歯車４６とラチェット歯車４７とを回転連動させ、ラチェット歯車４７がラチェット歯止め４８を回転連動させ、ラチェット歯止め４８が第三傘歯車３５を回転連動させ、第三傘歯車３５が第四傘歯車３８と第二円盤３９とを回転連動させ、第二円盤３９が回転した後に、第二円盤３９の頂端のＵ型針金４１を第一空きチャンバ２４の中に運び、Ｕ型磁石２３にはＵ型針金が再び吸着され、すなわち装置は繰り返し包装することができ、効率が高い。
【００２０】
以上のように、本発明の野菜包装装置は反応が速く、自動化程度が高く、包装後の密封性がよく、同時に、本発明の装置は小さな空間を占め、包装の効率が高く、実用性が強い。
【００２１】
以上に述べたのはただ本発明の具体的な実施方式で、本発明の保護範囲はここに限らないである。全部の創造的な労働を通じなく思いついた変化と取替は本発明の保護範囲にカバーされる。
【図１】
2020179926.tif 000003
【図２】
2020179926.tif 000004
【図３】
2020179926.tif 000005
【図４】
2020179926.tif 000006
【図５】
2020179926.tif 000007
【手続補正書】
【提出日】令和1年11月12日(2019.11.12)
【手続補正１】
【補正対象書類名】特許請求の範囲
【補正対象項目名】全文
【補正方法】変更
【補正の内容】
【特許請求の範囲】
【請求項１】
ケースを含み、前記ケースの中には上方に開口した包装チャンバが設けられ、前記包装チャンバの左右端壁には第一凹溝が連通し設けられ、前記第一凹溝の中にはフックが固定的に設けられ、左側の前記第一凹溝の底壁の中には右方に開口した第一空きチャンバが設けられ、前記第一空きチャンバの左端壁には第一スライド溝が連通し設けられ、前記第一スライド溝の中には第一スライドロッドがスライドできるように設けられ、前記第一スライドロッドの頂面にはラックが固定的に設けられ、前記第一スライドロッドの左端面には第一磁石ブロックが固定的に設けられ、前記第一スライドロッドの右端には前記第一空きチャンバの中に伸びているＵ型磁石が固定的に設けられ、前記第一スライド溝の左端壁には前記第一磁石ブロックと退け合う電磁石が固定的に設けられ、前記第一スライド溝の底壁には第二スライド溝が連通し設けられ、前記第二スライド溝の中には前記第一スライドロッドと固定的に連結されたスライドブロックがスライドできるように設けられ、前記スライドブロックと前記第二スライド溝の右端壁との間には第一バネが連結され、前記Ｕ型磁石の中心の右側には第二スライドロッドが固定的に設けられ、前記第二スライドロッドの右端には第二磁石ブロックが固定的に設けられ、右側の前記第一凹溝の底壁には左方に開口した第二空きチャンバが設けられ、前記第二空きチャンバの右端壁にはスプラインスリーブが回転できるように設けられ、前記スプラインスリーブの左端には第一円形歯車が固定的に設けられ、前記第一円形歯車の中には左方に開口した第三スライド溝が設けられ、前記第三スライド溝の右端壁の中には前記スプラインスリーブに連通している第四スライド溝が設けられ、前記スプラインスリーブの右端壁にはスイッチが固定的に設けられ、前記第四スライド溝の中には押しロッドがスライドできるように設けられ、前記押しロッドと前記スイッチの左端面との間には第二バネが連結され、前記第三スライド溝の前後両側の内壁の中には左方に開口した第五スライド溝が設けられ、前記第五スライド溝と前記第三スライド溝との間には金属シートが設けられ、前記第五スライド溝の中には前記包装チャンバの中に伸びている金属板がスライドできるように設けられ、前記金属板と前記金属シートとの間には第三バネが連結され、前記金属板の中には左方に開口した抜き穴が設けられ、前記第二空きチャンバの前端壁には第三空きチャンバが連通し設けられ、前記第三空きチャンバの右端壁には前記スイッチと電気的に接続されるモーターが固定的に設けられ、前記モーターの左側には主動軸が動力が伝達できるように連結され、前記主動軸には前記第一円形歯車と噛み合う第二円形歯車が固定的に設けられ、
これにより、前記第一スライドロッドが前記Ｕ型磁石を右にスライド連動させ、前記第二磁石ブロックが前記第三スライド溝に伸びた後に前記金属板を吸引し、同時に前記押しロッドが前記スイッチを押し、前記モーターを起動し、前記モーターが前記第一円形歯車を回転駆動し、結び目を作ることを特徴とする野菜包装装置。
【請求項２】
前記第一スライド溝の頂壁には第四空きチャンバが連通し設けられ、前記第四空きチャンバの中には第一回転軸が回転できるように設けられ、前記第一回転軸には前記ラックと噛み合う第三円形歯車と前記第三円形歯車の前側に位置している第一傘歯車とが固定的に設けられ、前記第四空きチャンバの右端壁の中には第五空きチャンバが設けられ、前記第五空きチャンバと前記第四空きチャンバとの間には左右に伸びている第二回転軸が回転できるように設けられ、前記第二回転軸の左端には前記第一傘歯車と噛み合う第二傘歯車が固定的に設けられ、前記第二回転軸の右端にはラチェット歯車が固定的に設けられることを特徴とする請求項１に記載の野菜包装装置。
【請求項３】
前記第五空きチャンバの右端壁には第六空きチャンバが設けられ、前記第六空きチャンバと前記第五空きチャンバとの間には左右に伸びている第三回転軸が回転できるように設けられ、前記第三回転軸の左端には第一円盤が固定的に設けられ、前記第一円盤の左端壁には第四回転軸が回転できるように設けられ、前記第四回転軸には前記ラチェット歯車と噛み合うラチェット歯止めが固定的に設けられ、前記ラチェット歯止めと前記第一円盤の左端面との間には第四バネが連結され、前記第三回転軸の右端には第三傘歯車が固定的に設けられ、前記第六空きチャンバの中には第五回転軸が回転できるように設けられ、前記第五回転軸には前記第三傘歯車と噛み合う第四傘歯車と前記第四傘歯車の後側に位置している第二円盤とが固定的に設けられ、前記第二円盤の中には四つの外に開口した第二凹溝が設けられ、前記第二凹溝の中にＵ型針金が引っ掛かることができ、前記第一空きチャンバの頂壁には前記第六空きチャンバを貫通しているＵ型溝が連通し設けられ、
前記第二円盤が回転する時に前記Ｕ型針金を前記第一空きチャンバの中まで運ぶことを特徴とする請求項２に記載の野菜包装装置。
【手続補正２】
【補正対象書類名】明細書
【補正対象項目名】全文
【補正方法】変更
【補正の内容】
【発明の詳細な説明】
【技術分野】
【０００１】
本発明は包装分野を取り上げて、具体的には野菜包装装置である。
【背景技術】
【０００２】
人々が野菜を購入した後に、野菜の根部に水を補充し、野菜に新鮮を保たせ、異なった野菜は一般的に分けられて包装され、賑やかな市場で、オーナーが客が購入した野菜を分けて包装する時に、大量の時間と精力が浪費され、ほとんどの野菜屋が小商いであり、異なった野菜を単独に包装する人手が足りなく、
従って、野菜包装装置を設計して上記の問題を解決する必要がある。
【先行技術文献】
【特許文献】
【０００３】
【特許文献１】中国特許出願公開第１０７２００１５３号明細書
【発明の概要】
【発明が解決しようとする課題】
【０００４】
本発明の目的は野菜包装装置を提供し、それは上記の現在の技術中の問題を解決できる。
【課題を解決するための手段】
【０００５】
本発明は以下の技術プランを通じて実現する：本発明の野菜包装装置は、ケースを含み、前記ケースの中には上方に開口した包装チャンバが設けられ、前記包装チャンバの左右端壁には第一凹溝が連通し設けられ、前記第一凹溝の中にはフックが固定的に設けられ、左側の前記第一凹溝の底壁の中には右方に開口した第一空きチャンバが設けられ、前記第一空きチャンバの左端壁には第一スライド溝が連通し設けられ、前記第一スライド溝の中には第一スライドロッドがスライドできるように設けられ、前記第一スライドロッドの頂面にはラックが固定的に設けられ、前記第一スライドロッドの左端面には第一磁石ブロックが固定的に設けられ、前記第一スライドロッドの右端には前記第一空きチャンバの中に伸びているＵ型磁石が固定的に設けられ、前記第一スライド溝の左端壁には前記第一磁石ブロックと退け合う電磁石が固定的に設けられ、前記第一スライド溝の底壁には第二スライド溝が連通し設けられ、前記第二スライド溝の中には前記第一スライドロッドと固定的に連結されたスライドブロックがスライドできるように設けられ、前記スライドブロックと前記第二スライド溝の右端壁との間には第一バネが連結され、前記Ｕ型磁石の中心の右側には第二スライドロッドが固定的に設けられ、前記第二スライドロッドの右端には第二磁石ブロックが固定的に設けられ、右側の前記第一凹溝の底壁には左方に開口した第二空きチャンバが設けられ、前記第二空きチャンバの右端壁にはスプラインスリーブが回転できるように設けられ、前記スプラインスリーブの左端には第一円形歯車が固定的に設けられ、前記第一円形歯車の中には左方に開口した第三スライド溝が設けられ、前記第三スライド溝の右端壁の中には前記スプラインスリーブに連通している第四スライド溝が設けられ、前記スプラインスリーブの右端壁にはスイッチが固定的に設けられ、前記第四スライド溝の中には押しロッドがスライドできるように設けられ、前記押しロッドと前記スイッチの左端面との間には第二バネが連結され、前記第三スライド溝の前後両側の内壁の中には左方に開口した第五スライド溝が設けられ、前記第五スライド溝と前記第三スライド溝との間には金属シートが設けられ、前記第五スライド溝の中には前記包装チャンバの中に伸びている金属板がスライドできるように設けられ、前記金属板と前記金属シートとの間には第三バネが連結され、前記金属板の中には左方に開口した抜き穴が設けられ、前記第二空きチャンバの前端壁には第三空きチャンバが連通し設けられ、前記第三空きチャンバの右端壁には前記スイッチと電気的に接続されるモーターが固定的に設けられ、前記モーターの左側には主動軸が動力が伝達できるように連結され、前記主動軸には前記第一円形歯車と噛み合う第二円形歯車が固定的に設けられ、
これにより、前記第一スライドロッドが前記Ｕ型磁石を右にスライド連動させ、前記第二磁石ブロックが前記第三スライド溝に伸びた後に前記金属板を吸引し、同時に前記押しロッドが前記スイッチを押し、前記モーターを起動し、前記モーターが前記第一円形歯車を回転駆動し、結び目を作る。
【０００６】
優選の技術プランとして、前記第一スライド溝の頂壁には第四空きチャンバが連通し設けられ、前記第四空きチャンバの中には第一回転軸が回転できるように設けられ、前記第一回転軸には前記ラックと噛み合う第三円形歯車と前記第三円形歯車の前側に位置している第一傘歯車とが固定的に設けられ、前記第四空きチャンバの右端壁の中には第五空きチャンバが設けられ、前記第五空きチャンバと前記第四空きチャンバとの間には左右に伸びている第二回転軸が回転できるように設けられ、前記第二回転軸の左端には前記第一傘歯車と噛み合う第二傘歯車が固定的に設けられ、前記第二回転軸の右端にはラチェット歯車が固定的に設けられる。
【０００７】
優選の技術プランとして、前記第五空きチャンバの右端壁には第六空きチャンバが設けられ、前記第六空きチャンバと前記第五空きチャンバとの間には左右に伸びている第三回転軸が回転できるように設けられ、前記第三回転軸の左端には第一円盤が固定的に設けられ、前記第一円盤の左端壁には第四回転軸が回転できるように設けられ、前記第四回転軸には前記ラチェット歯車と噛み合うラチェット歯止めが固定的に設けられ、前記ラチェット歯止めと前記第一円盤の左端面との間には第四バネが連結され、前記第三回転軸の右端には第三傘歯車が固定的に設けられ、前記第六空きチャンバの中には第五回転軸が回転できるように設けられ、前記第五回転軸には前記第三傘歯車と噛み合う第四傘歯車と前記第四傘歯車の後側に位置している第二円盤とが固定的に設けられ、前記第二円盤の中には四つの外に開口した第二凹溝が設けられ、前記第二凹溝の中にＵ型針金が引っ掛かることができ、前記第一空きチャンバの頂壁には前記第六空きチャンバを貫通しているＵ型溝が連通し設けられ、
前記第二円盤が回転する時に前記Ｕ型針金を前記第一空きチャンバの中まで運ぶ。
【発明の効果】
【０００８】
本発明の野菜包装装置は反応が速く、自動化程度が高く、包装後の密封性がよく、同時に、本発明の装置は小さな空間を占め、包装の効率が高く、実用性が強い。
【図面の簡単な説明】
【０００９】
説明しやすいため、本発明は以下の具体的な実施例と付図を交え詳しく説明する。
【００１０】
【図１】図１は本発明の野菜包装装置の全体構成略図
【図２】図２は図１のＡ−Ａの構成略図
【図３】図３は図１のＢの拡大構成略図
【図４】図４は図１のＣの拡大構成略図
【図５】図５は図２のＤの拡大構成略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
以下、図１〜５を合わせて本発明について詳しく説明し、また、説明の便利を図るため、下記に記載の上下左右前後方向が図１自身の投影関係の上下左右前後方向と一致することにする。
【００１３】
図１〜５に示すように、本発明の野菜包装装置は、ケース１０を含み、前記ケース１０の中には上方に開口した包装チャンバ２７が設けられ、前記包装チャンバ２７の左右端壁には第一凹溝３０が連通し設けられ、前記第一凹溝３０の中にはフック２９が固定的に設けられ、左側の前記第一凹溝３０の底壁の中には右方に開口した第一空きチャンバ２４が設けられ、前記第一空きチャンバ２４の左端壁には第一スライド溝１８が連通し設けられ、前記第一スライド溝１８の中には第一スライドロッド１９がスライドできるように設けられ、前記第一スライドロッド１９の頂面にはラック１５が固定的に設けられ、前記第一スライドロッド１９の左端面には第一磁石ブロック１７が固定的に設けられ、前記第一スライドロッド１９の右端には前記第一空きチャンバ２４の中に伸びているＵ型磁石２３が固定的に設けられ、前記第一スライド溝１８の左端壁には前記第一磁石ブロック１７と退け合う電磁石１６が固定的に設けられ、前記第一スライド溝１８の底壁には第二スライド溝２２が連通し設けられ、前記第二スライド溝２２の中には前記第一スライドロッド１９と固定的に連結されたスライドブロック２０がスライドできるように設けられ、前記スライドブロック２０と前記第二スライド溝２２の右端壁との間には第一バネ２１が連結され、前記Ｕ型磁石２３の中心の右側には第二スライドロッド２５が固定的に設けられ、前記第二スライドロッド２５の右端には第二磁石ブロック２６が固定的に設けられ、右側の前記第一凹溝３０の底壁には左方に開口した第二空きチャンバ２８が設けられ、前記第二空きチャンバ２８の右端壁にはスプラインスリーブ６２が回転できるように設けられ、前記スプラインスリーブ６２の左端には第一円形歯車５２が固定的に設けられ、前記第一円形歯車５２の中には左方に開口した第三スライド溝５８が設けられ、前記第三スライド溝５８の右端壁の中には前記スプラインスリーブ６２に連通している第四スライド溝６３が設けられ、前記スプラインスリーブ６２の右端壁にはスイッチ６０が固定的に設けられ、前記第四スライド溝６３の中には押しロッド５９がスライドできるように設けられ、前記押しロッド５９と前記スイッチ６０の左端面との間には第二バネ６１が連結され、前記第三スライド溝５８の前後両側の内壁の中には左方に開口した第五スライド溝５３が設けられ、前記第五スライド溝５３と前記第三スライド溝５８との間には金属シート５７が設けられ、前記第五スライド溝５３の中には前記包装チャンバ２７の中に伸びている金属板５５がスライドできるように設けられ、前記金属板５５と前記金属シート５７との間には第三バネ５６が連結され、前記金属板５５の中には左方に開口した抜き穴５４が設けられ、前記第二空きチャンバ２８の前端壁には第三空きチャンバ３１が連通し設けられ、前記第三空きチャンバ３１の右端壁には前記スイッチ６０と電気的に接続されるモーター３３が固定的に設けられ、前記モーター３３の左側には主動軸３２が動力が伝達できるように連結され、前記主動軸３２には前記第一円形歯車５２と噛み合う第二円形歯車３４が固定的に設けられ、
これにより、前記第一スライドロッド１９が前記Ｕ型磁石２３を右にスライド連動させ、前記第二磁石ブロック２６が前記第三スライド溝５８に伸びた後に前記金属板５５を吸引し、同時に前記押しロッド５９が前記スイッチ６０を押し、前記モーター３３を起動し、前記モーター３３が前記第一円形歯車５２を回転駆動し、結び目を作る。
【００１４】
有益的には、前記第一スライド溝１８の頂壁には第四空きチャンバ１４が連通し設けられ、前記第四空きチャンバ１４の中には第一回転軸４４が回転できるように設けられ、前記第一回転軸４４には前記ラック１５と噛み合う第三円形歯車４２と前記第三円形歯車４２の前側に位置している第一傘歯車４３とが固定的に設けられ、前記第四空きチャンバ１４の右端壁の中には第五空きチャンバ１３が設けられ、前記第五空きチャンバ１３と前記第四空きチャンバ１４との間には左右に伸びている第二回転軸４５が回転できるように設けられ、前記第二回転軸４５の左端には前記第一傘歯車４３と噛み合う第二傘歯車４６が固定的に設けられ、前記第二回転軸４５の右端にはラチェット歯車４７が固定的に設けられる。
【００１５】
有益的には、前記第五空きチャンバ１３の右端壁には第六空きチャンバ１２が設けられ、前記第六空きチャンバ１２と前記第五空きチャンバ１３との間には左右に伸びている第三回転軸３６が回転できるように設けられ、前記第三回転軸３６の左端には第一円盤５１が固定的に設けられ、前記第一円盤５１の左端壁には第四回転軸４９が回転できるように設けられ、前記第四回転軸４９には前記ラチェット歯車４７と噛み合うラチェット歯止め４８が固定的に設けられ、前記ラチェット歯止め４８と前記第一円盤５１の左端面との間には第四バネ５０が連結され、前記第三回転軸３６の右端には第三傘歯車３５が固定的に設けられ、前記第六空きチャンバ１２の中には第五回転軸３７が回転できるように設けられ、前記第五回転軸３７には前記第三傘歯車３５と噛み合う第四傘歯車３８と前記第四傘歯車３８の後側に位置している第二円盤３９とが固定的に設けられ、前記第二円盤３９の中には四つの外に開口した第二凹溝４０が設けられ、前記第二凹溝４０の中にＵ型針金４１が引っ掛かることができ、前記第一空きチャンバ２４の頂壁には前記第六空きチャンバ１２を貫通しているＵ型溝１１が連通し設けられ、
前記第二円盤３９が回転する時に前記Ｕ型針金４１を前記第一空きチャンバ２４の中まで運ぶ。
【００１６】
以下、付図及び上記に説明された本申請の野菜包装装置の具体的な構成を参照し、野菜包装装置の使用方法を詳しく説明する：
【００１７】
まずプラスチック袋をフック２９に掛け、そして袋に水を注入し、そして購入した野菜の茎の一端をプラスチック袋の中に挿す。
【００１８】
包装する時、電磁石１６を起動し、電磁石１６が第一磁石ブロック１７を反発し、第一磁石ブロック１７が第一スライドロッド１９を右にスライド連動させ、その時にＵ型磁石２３の頂面にＵ型針金４１が吸着され、Ｕ型磁石２３がＵ型針金４１を右にスライド連動させ、且つＵ型針金４１を抜き穴５４の中に伸びさせ、第二磁石ブロック２６が第三スライド溝５８の中に挿入される時に、第二磁石ブロック２６が押しロッド５９を押し、第二磁石ブロック２６が金属板５５を吸引し、二つの金属板５５がＵ型針金４１の前後両端を連動させて互いに近接させ、同時に押しロッド５９が右にスライドしてスイッチ６０を押し、スイッチ６０がモーター３３を起動し、モーター３３が第二円形歯車３４を回転連動させ、第二円形歯車３４が第一円形歯車５２と金属板５５とを回転連動させ、すなわちその時にＵ型針金４１の右側が回転し結ばれ、プラスチック袋の底部の水が密封され、野菜の底部が水と接触し、野菜を新鮮に保つ。
【００１９】
包装完了の時、電磁石１６を止め、第一スライドロッド１９が第一バネ２１の作用力により左にスライドし、ラック１５が回転して第三円形歯車４２と第一傘歯車４３とを回転連動させ、第一傘歯車４３が第二傘歯車４６とラチェット歯車４７とを回転連動させ、ラチェット歯車４７がラチェット歯止め４８を回転連動させ、ラチェット歯止め４８が第三傘歯車３５を回転連動させ、第三傘歯車３５が第四傘歯車３８と第二円盤３９とを回転連動させ、第二円盤３９が回転した後に、第二円盤３９の頂端のＵ型針金４１を第一空きチャンバ２４の中に運び、Ｕ型磁石２３にはＵ型針金が再び吸着され、すなわち装置は繰り返し包装することができ、効率が高い。
【００２０】
以上のように、本発明の野菜包装装置は反応が速く、自動化程度が高く、包装後の密封性がよく、同時に、本発明の装置は小さな空間を占め、包装の効率が高く、実用性が強い。
【００２１】
以上に述べたのはただ本発明の具体的な実施方式で、本発明の保護範囲はここに限らないである。全部の創造的な労働を通じなく思いついた変化と取替は本発明の保護範囲にカバーされる。
【手続補正書】
【提出日】令和2年4月7日(2020.4.7)
【手続補正１】
【補正対象書類名】特許請求の範囲
【補正対象項目名】全文
【補正方法】変更
【補正の内容】
【特許請求の範囲】
【請求項１】
ケースを含み、前記ケースの中には上方に開口した包装チャンバが設けられ、前記包装チャンバの左右端壁には第一凹溝が連通し設けられ、前記第一凹溝の中にはフックが固定的に設けられ、左側の前記第一凹溝の底壁の中には右方に開口した第一空きチャンバが設けられ、前記第一空きチャンバの左端壁には第一スライド溝が連通し設けられ、前記第一スライド溝の中には第一スライドロッドがスライドできるように設けられ、前記第一スライドロッドの頂面にはラックが固定的に設けられ、前記第一スライドロッドの左端面には第一磁石ブロックが固定的に設けられ、前記第一スライドロッドの右端には前記第一空きチャンバの中に伸びているＵ型磁石が固定的に設けられ、前記第一スライド溝の左端壁には前記第一磁石ブロックと退け合う電磁石が固定的に設けられ、前記第一スライド溝の底壁には第二スライド溝が連通し設けられ、前記第二スライド溝の中には前記第一スライドロッドと固定的に連結されたスライドブロックがスライドできるように設けられ、前記スライドブロックと前記第二スライド溝の右端壁との間には第一バネが連結され、前記Ｕ型磁石の中心の右側には第二スライドロッドが固定的に設けられ、前記第二スライドロッドの右端には第二磁石ブロックが固定的に設けられ、右側の前記第一凹溝の底壁には左方に開口した第二空きチャンバが設けられ、前記第二空きチャンバの右端壁にはスプラインスリーブが回転できるように設けられ、前記スプラインスリーブの左端には第一円形歯車が固定的に設けられ、前記第一円形歯車の中には左方に開口した第三スライド溝が設けられ、前記第三スライド溝の右端壁の中には前記スプラインスリーブに連通している第四スライド溝が設けられ、前記スプラインスリーブの右端壁にはスイッチが固定的に設けられ、前記第四スライド溝の中には押しロッドがスライドできるように設けられ、前記押しロッドと前記スイッチの左端面との間には第二バネが連結され、左方に開口した第五スライド溝が前記第三スライド溝に対して前後方向に対称的に設けられ、前記第五スライド溝と前記第三スライド溝との間には金属シートが設けられ、前記第五スライド溝の中には前記包装チャンバの中に伸びている金属板がスライドできるように設けられ、前記金属板と前記金属シートとの間には第三バネが連結され、前記金属板の中には左方に開口した抜き穴が設けられ、前記第二空きチャンバの前端壁には第三空きチャンバが連通し設けられ、前記第三空きチャンバの右端壁には前記スイッチと電気的に接続されるモーターが固定的に設けられ、前記モーターの左側には主動軸が動力が伝達できるように連結され、前記主動軸には前記第一円形歯車と噛み合う第二円形歯車が固定的に設けられ、
これにより、前記第一スライドロッドが前記Ｕ型磁石を右にスライド連動させ、前記第二磁石ブロックが前記第三スライド溝に伸びた後に前記金属板を吸引し、同時に前記押しロッドが前記スイッチを押し、前記モーターを起動し、前記モーターが前記第一円形歯車を回転駆動し、結び目を作ることを特徴とする野菜包装装置。
【請求項２】
前記第一スライド溝の頂壁には第四空きチャンバが連通し設けられ、前記第四空きチャンバの中には第一回転軸が回転できるように設けられ、前記第一回転軸には前記ラックと噛み合う第三円形歯車と前記第三円形歯車の前側に位置している第一傘歯車とが固定的に設けられ、前記第四空きチャンバの右端壁の中には第五空きチャンバが設けられ、前記第五空きチャンバと前記第四空きチャンバとの間には左右に伸びている第二回転軸が回転できるように設けられ、前記第二回転軸の左端には前記第一傘歯車と噛み合う第二傘歯車が固定的に設けられ、前記第二回転軸の右端にはラチェット歯車が固定的に設けられることを特徴とする請求項１に記載の野菜包装装置。
【請求項３】
前記第五空きチャンバの右端壁には第六空きチャンバが設けられ、前記第六空きチャンバと前記第五空きチャンバとの間には左右に伸びている第三回転軸が回転できるように設けられ、前記第三回転軸の左端には第一円盤が固定的に設けられ、前記第一円盤の左端壁には第四回転軸が回転できるように設けられ、前記第四回転軸には前記ラチェット歯車と噛み合うラチェット歯止めが固定的に設けられ、前記ラチェット歯止めと前記第一円盤の左端面との間には第四バネが連結され、前記第三回転軸の右端には第三傘歯車が固定的に設けられ、前記第六空きチャンバの中には第五回転軸が回転できるように設けられ、前記第五回転軸には前記第三傘歯車と噛み合う第四傘歯車と前記第四傘歯車の後側に位置している第二円盤とが固定的に設けられ、前記第二円盤の中には四つの外に開口した第二凹溝が設けられ、前記第二凹溝の中にＵ型針金が引っ掛かることができ、前記第一空きチャンバの頂壁には前記第六空きチャンバを貫通しているＵ型溝が連通し設けられ、
前記第二円盤が回転する時に前記Ｕ型針金を前記第一空きチャンバの中まで運ぶことを特徴とする請求項２に記載の野菜包装装置。
【手続補正２】
【補正対象書類名】明細書
【補正対象項目名】全文
【補正方法】変更
【補正の内容】
【発明の詳細な説明】
【技術分野】
【０００１】
本発明は包装分野を取り上げて、具体的には野菜包装装置である。
【背景技術】
【０００２】
人々が野菜を購入した後に、野菜の根部に水を補充し、野菜に新鮮を保たせ、異なった野菜は一般的に分けられて包装され、賑やかな市場で、オーナーが客が購入した野菜を分けて包装する時に、大量の時間と精力が浪費され、ほとんどの野菜屋が小商いであり、異なった野菜を単独に包装する人手が足りなく、
従って、野菜包装装置を設計して上記の問題を解決する必要がある。
【先行技術文献】
【特許文献】
【０００３】
【特許文献１】中国特許出願公開第１０７２００１５３号明細書
【発明の概要】
【発明が解決しようとする課題】
【０００４】
本発明の目的は野菜包装装置を提供し、それは上記の現在の技術中の問題を解決できる。
【課題を解決するための手段】
【０００５】
本発明は以下の技術プランを通じて実現する：本発明の野菜包装装置は、ケースを含み、前記ケースの中には上方に開口した包装チャンバが設けられ、前記包装チャンバの左右端壁には第一凹溝が連通し設けられ、前記第一凹溝の中にはフックが固定的に設けられ、左側の前記第一凹溝の底壁の中には右方に開口した第一空きチャンバが設けられ、前記第一空きチャンバの左端壁には第一スライド溝が連通し設けられ、前記第一スライド溝の中には第一スライドロッドがスライドできるように設けられ、前記第一スライドロッドの頂面にはラックが固定的に設けられ、前記第一スライドロッドの左端面には第一磁石ブロックが固定的に設けられ、前記第一スライドロッドの右端には前記第一空きチャンバの中に伸びているＵ型磁石が固定的に設けられ、前記第一スライド溝の左端壁には前記第一磁石ブロックと退け合う電磁石が固定的に設けられ、前記第一スライド溝の底壁には第二スライド溝が連通し設けられ、前記第二スライド溝の中には前記第一スライドロッドと固定的に連結されたスライドブロックがスライドできるように設けられ、前記スライドブロックと前記第二スライド溝の右端壁との間には第一バネが連結され、前記Ｕ型磁石の中心の右側には第二スライドロッドが固定的に設けられ、前記第二スライドロッドの右端には第二磁石ブロックが固定的に設けられ、右側の前記第一凹溝の底壁には左方に開口した第二空きチャンバが設けられ、前記第二空きチャンバの右端壁にはスプラインスリーブが回転できるように設けられ、前記スプラインスリーブの左端には第一円形歯車が固定的に設けられ、前記第一円形歯車の中には左方に開口した第三スライド溝が設けられ、前記第三スライド溝の右端壁の中には前記スプラインスリーブに連通している第四スライド溝が設けられ、前記スプラインスリーブの右端壁にはスイッチが固定的に設けられ、前記第四スライド溝の中には押しロッドがスライドできるように設けられ、前記押しロッドと前記スイッチの左端面との間には第二バネが連結され、左方に開口した第五スライド溝が前記第三スライド溝に対して前後方向に対称的に設けられ、前記第五スライド溝と前記第三スライド溝との間には金属シートが設けられ、前記第五スライド溝の中には前記包装チャンバの中に伸びている金属板がスライドできるように設けられ、前記金属板と前記金属シートとの間には第三バネが連結され、前記金属板の中には左方に開口した抜き穴が設けられ、前記第二空きチャンバの前端壁には第三空きチャンバが連通し設けられ、前記第三空きチャンバの右端壁には前記スイッチと電気的に接続されるモーターが固定的に設けられ、前記モーターの左側には主動軸が動力が伝達できるように連結され、前記主動軸には前記第一円形歯車と噛み合う第二円形歯車が固定的に設けられ、
これにより、前記第一スライドロッドが前記Ｕ型磁石を右にスライド連動させ、前記第二磁石ブロックが前記第三スライド溝に伸びた後に前記金属板を吸引し、同時に前記押しロッドが前記スイッチを押し、前記モーターを起動し、前記モーターが前記第一円形歯車を回転駆動し、結び目を作る。
【０００６】
優選の技術プランとして、前記第一スライド溝の頂壁には第四空きチャンバが連通し設けられ、前記第四空きチャンバの中には第一回転軸が回転できるように設けられ、前記第一回転軸には前記ラックと噛み合う第三円形歯車と前記第三円形歯車の前側に位置している第一傘歯車とが固定的に設けられ、前記第四空きチャンバの右端壁の中には第五空きチャンバが設けられ、前記第五空きチャンバと前記第四空きチャンバとの間には左右に伸びている第二回転軸が回転できるように設けられ、前記第二回転軸の左端には前記第一傘歯車と噛み合う第二傘歯車が固定的に設けられ、前記第二回転軸の右端にはラチェット歯車が固定的に設けられる。
【０００７】
優選の技術プランとして、前記第五空きチャンバの右端壁には第六空きチャンバが設けられ、前記第六空きチャンバと前記第五空きチャンバとの間には左右に伸びている第三回転軸が回転できるように設けられ、前記第三回転軸の左端には第一円盤が固定的に設けられ、前記第一円盤の左端壁には第四回転軸が回転できるように設けられ、前記第四回転軸には前記ラチェット歯車と噛み合うラチェット歯止めが固定的に設けられ、前記ラチェット歯止めと前記第一円盤の左端面との間には第四バネが連結され、前記第三回転軸の右端には第三傘歯車が固定的に設けられ、前記第六空きチャンバの中には第五回転軸が回転できるように設けられ、前記第五回転軸には前記第三傘歯車と噛み合う第四傘歯車と前記第四傘歯車の後側に位置している第二円盤とが固定的に設けられ、前記第二円盤の中には四つの外に開口した第二凹溝が設けられ、前記第二凹溝の中にＵ型針金が引っ掛かることができ、前記第一空きチャンバの頂壁には前記第六空きチャンバを貫通しているＵ型溝が連通し設けられ、
前記第二円盤が回転する時に前記Ｕ型針金を前記第一空きチャンバの中まで運ぶ。
【発明の効果】
【０００８】
本発明の野菜包装装置は反応が速く、自動化程度が高く、包装後の密封性がよく、同時に、本発明の装置は小さな空間を占め、包装の効率が高く、実用性が強い。
【図面の簡単な説明】
【０００９】
説明しやすいため、本発明は以下の具体的な実施例と付図を交え詳しく説明する。
【００１０】
【図１】図１は本発明の野菜包装装置の全体構成略図
【図２】図２は図１のＡ−Ａの構成略図
【図３】図３は図１のＢの拡大構成略図
【図４】図４は図１のＣの拡大構成略図
【図５】図５は図２のＤの拡大構成略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
以下、図１〜５を合わせて本発明について詳しく説明し、また、説明の便利を図るため、下記に記載の上下左右前後方向が図１自身の投影関係の上下左右前後方向と一致することにする。
【００１３】
図１〜５に示すように、本発明の野菜包装装置は、ケース１０を含み、前記ケース１０の中には上方に開口した包装チャンバ２７が設けられ、前記包装チャンバ２７の左右端壁には第一凹溝３０が連通し設けられ、前記第一凹溝３０の中にはフック２９が固定的に設けられ、左側の前記第一凹溝３０の底壁の中には右方に開口した第一空きチャンバ２４が設けられ、前記第一空きチャンバ２４の左端壁には第一スライド溝１８が連通し設けられ、前記第一スライド溝１８の中には第一スライドロッド１９がスライドできるように設けられ、前記第一スライドロッド１９の頂面にはラック１５が固定的に設けられ、前記第一スライドロッド１９の左端面には第一磁石ブロック１７が固定的に設けられ、前記第一スライドロッド１９の右端には前記第一空きチャンバ２４の中に伸びているＵ型磁石２３が固定的に設けられ、前記第一スライド溝１８の左端壁には前記第一磁石ブロック１７と退け合う電磁石１６が固定的に設けられ、前記第一スライド溝１８の底壁には第二スライド溝２２が連通し設けられ、前記第二スライド溝２２の中には前記第一スライドロッド１９と固定的に連結されたスライドブロック２０がスライドできるように設けられ、前記スライドブロック２０と前記第二スライド溝２２の右端壁との間には第一バネ２１が連結され、前記Ｕ型磁石２３の中心の右側には第二スライドロッド２５が固定的に設けられ、前記第二スライドロッド２５の右端には第二磁石ブロック２６が固定的に設けられ、右側の前記第一凹溝３０の底壁には左方に開口した第二空きチャンバ２８が設けられ、前記第二空きチャンバ２８の右端壁にはスプラインスリーブ６２が回転できるように設けられ、前記スプラインスリーブ６２の左端には第一円形歯車５２が固定的に設けられ、前記第一円形歯車５２の中には左方に開口した第三スライド溝５８が設けられ、前記第三スライド溝５８の右端壁の中には前記スプラインスリーブ６２に連通している第四スライド溝６３が設けられ、前記スプラインスリーブ６２の右端壁にはスイッチ６０が固定的に設けられ、前記第四スライド溝６３の中には押しロッド５９がスライドできるように設けられ、前記押しロッド５９と前記スイッチ６０の左端面との間には第二バネ６１が連結され、左方に開口した第五スライド溝５３が前記第三スライド溝５８に対して前後方向に対称的に設けられ、前記第五スライド溝５３と前記第三スライド溝５８との間には金属シート５７が設けられ、前記第五スライド溝５３の中には前記包装チャンバ２７の中に伸びている金属板５５がスライドできるように設けられ、前記金属板５５と前記金属シート５７との間には第三バネ５６が連結され、前記金属板５５の中には左方に開口した抜き穴５４が設けられ、前記第二空きチャンバ２８の前端壁には第三空きチャンバ３１が連通し設けられ、前記第三空きチャンバ３１の右端壁には前記スイッチ６０と電気的に接続されるモーター３３が固定的に設けられ、前記モーター３３の左側には主動軸３２が動力が伝達できるように連結され、前記主動軸３２には前記第一円形歯車５２と噛み合う第二円形歯車３４が固定的に設けられ、
これにより、前記第一スライドロッド１９が前記Ｕ型磁石２３を右にスライド連動させ、前記第二磁石ブロック２６が前記第三スライド溝５８に伸びた後に前記金属板５５を吸引し、同時に前記押しロッド５９が前記スイッチ６０を押し、前記モーター３３を起動し、前記モーター３３が前記第一円形歯車５２を回転駆動し、結び目を作る。
【００１４】
有益的には、前記第一スライド溝１８の頂壁には第四空きチャンバ１４が連通し設けられ、前記第四空きチャンバ１４の中には第一回転軸４４が回転できるように設けられ、前記第一回転軸４４には前記ラック１５と噛み合う第三円形歯車４２と前記第三円形歯車４２の前側に位置している第一傘歯車４３とが固定的に設けられ、前記第四空きチャンバ１４の右端壁の中には第五空きチャンバ１３が設けられ、前記第五空きチャンバ１３と前記第四空きチャンバ１４との間には左右に伸びている第二回転軸４５が回転できるように設けられ、前記第二回転軸４５の左端には前記第一傘歯車４３と噛み合う第二傘歯車４６が固定的に設けられ、前記第二回転軸４５の右端にはラチェット歯車４７が固定的に設けられる。
【００１５】
有益的には、前記第五空きチャンバ１３の右端壁には第六空きチャンバ１２が設けられ、前記第六空きチャンバ１２と前記第五空きチャンバ１３との間には左右に伸びている第三回転軸３６が回転できるように設けられ、前記第三回転軸３６の左端には第一円盤５１が固定的に設けられ、前記第一円盤５１の左端壁には第四回転軸４９が回転できるように設けられ、前記第四回転軸４９には前記ラチェット歯車４７と噛み合うラチェット歯止め４８が固定的に設けられ、前記ラチェット歯止め４８と前記第一円盤５１の左端面との間には第四バネ５０が連結され、前記第三回転軸３６の右端には第三傘歯車３５が固定的に設けられ、前記第六空きチャンバ１２の中には第五回転軸３７が回転できるように設けられ、前記第五回転軸３７には前記第三傘歯車３５と噛み合う第四傘歯車３８と前記第四傘歯車３８の後側に位置している第二円盤３９とが固定的に設けられ、前記第二円盤３９の中には四つの外に開口した第二凹溝４０が設けられ、前記第二凹溝４０の中にＵ型針金４１が引っ掛かることができ、前記第一空きチャンバ２４の頂壁には前記第六空きチャンバ１２を貫通しているＵ型溝１１が連通し設けられ、
前記第二円盤３９が回転する時に前記Ｕ型針金４１を前記第一空きチャンバ２４の中まで運ぶ。
【００１６】
以下、付図及び上記に説明された本申請の野菜包装装置の具体的な構成を参照し、野菜包装装置の使用方法を詳しく説明する：
【００１７】
まずプラスチック袋をフック２９に掛け、そして袋に水を注入し、そして購入した野菜の茎の一端をプラスチック袋の中に挿す。
【００１８】
包装する時、電磁石１６を起動し、電磁石１６が第一磁石ブロック１７を反発し、第一磁石ブロック１７が第一スライドロッド１９を右にスライド連動させ、その時にＵ型磁石２３の頂面にＵ型針金４１が吸着され、Ｕ型磁石２３がＵ型針金４１を右にスライド連動させ、且つＵ型針金４１を抜き穴５４の中に伸びさせ、第二磁石ブロック２６が第三スライド溝５８の中に挿入される時に、第二磁石ブロック２６が押しロッド５９を押し、第二磁石ブロック２６が金属板５５を吸引し、二つの金属板５５がＵ型針金４１の前後両端を連動させて互いに近接させ、同時に押しロッド５９が右にスライドしてスイッチ６０を押し、スイッチ６０がモーター３３を起動し、モーター３３が第二円形歯車３４を回転連動させ、第二円形歯車３４が第一円形歯車５２と金属板５５とを回転連動させ、すなわちその時にＵ型針金４１の右側が回転し結ばれ、プラスチック袋の底部の水が密封され、野菜の底部が水と接触し、野菜を新鮮に保つ。
【００１９】
包装完了の時、電磁石１６を止め、第一スライドロッド１９が第一バネ２１の作用力により左にスライドし、ラック１５が回転して第三円形歯車４２と第一傘歯車４３とを回転連動させ、第一傘歯車４３が第二傘歯車４６とラチェット歯車４７とを回転連動させ、ラチェット歯車４７がラチェット歯止め４８を回転連動させ、ラチェット歯止め４８が第三傘歯車３５を回転連動させ、第三傘歯車３５が第四傘歯車３８と第二円盤３９とを回転連動させ、第二円盤３９が回転した後に、第二円盤３９の頂端のＵ型針金４１を第一空きチャンバ２４の中に運び、Ｕ型磁石２３にはＵ型針金が再び吸着され、すなわち装置は繰り返し包装することができ、効率が高い。
【００２０】
以上のように、本発明の野菜包装装置は反応が速く、自動化程度が高く、包装後の密封性がよく、同時に、本発明の装置は小さな空間を占め、包装の効率が高く、実用性が強い。
【００２１】
以上に述べたのはただ本発明の具体的な実施方式で、本発明の保護範囲はここに限らないである。全部の創造的な労働を通じなく思いついた変化と取替は本発明の保護範囲にカバーされる。